(57)【要約】【課題】  就寝者を心地良く目覚めさせることができる光制御システムを提供する。【解決手段】  室内を照明する照明手段８，９を設け、自然光を採り入れるガラス張り開口部１に遮光状態と採光状態とに切り換え可能な遮光手段４を設け、起床時刻Ｔｗを設定する時刻設定手段６、及び、設定された起床時刻Ｔｗに基づき照明手段８，９及び遮光手段４を自動操作する制御手段７を設け、この制御手段７を、設定起床時刻Ｔｗよりも第１設定時間ΔＴ１だけ前の点灯時刻Ｔｘに至ったとき、消灯状態にある照明手段８，９を点灯状態に切り換え、その後、設定起床時刻Ｔｗよりも第２設定時間ΔＴ２だけ前の採光時刻Ｔｙに至ったとき、又は、設定起床時刻Ｔｗに至ったとき、遮光状態にある遮光手段４を採光状態に切り換える構成にする。【選択図】        図１
2005310438.tif 000002
【特許請求の範囲】
【請求項１】
対象室の室内を照明する照明手段を設け、前記対象室に自然光を採り入れるガラス張り開口部に、自然光を遮断する遮光状態と自然光を採り入れる採光状態とに切り換え可能な遮光手段を設け、
起床時刻を設定する時刻設定手段、及び、この時刻設定手段により設定された起床時刻に基づき前記照明手段及び前記遮光手段を自動操作する制御手段を設け、
この制御手段を、前記時刻設定手段による設定起床時刻よりも第１設定時間だけ前の点灯時刻に至ったとき、消灯状態にある前記照明手段を点灯状態に切り換え、その後、設定起床時刻よりも第２設定時間だけ前の採光時刻に至ったとき、又は、設定起床時刻に至ったとき、遮光状態にある前記遮光手段を採光状態に切り換える構成にしてある光制御システム。
【請求項２】
対象室の室内を照明する照明手段を設け、前記対象室に自然光を採り入れるガラス張り開口部に、自然光を遮断する遮光状態と自然光を採り入れる採光状態とに切り換え可能な遮光手段を設け、
屋外の照度を検出する屋外照度センサ、及び、この屋外照度センサにより検出される屋外照度に基づき前記照明手段及び前記遮光手段を自動操作する制御手段を設け、
この制御手段を、前記屋外照度センサによる検出屋外照度が設定点灯照度まで上昇したとき、消灯状態にある前記照明手段を点灯状態に切り換え、その後、検出屋外照度が設定採光照度まで上昇したとき、又は、設定待機時間を経過したとき、遮光状態にある前記遮光手段を採光状態に切り換える構成にしてある光制御システム。
【請求項３】
対象室の室内を照明する照明手段を設け、前記対象室に自然光を採り入れるガラス張り開口部に、自然光を遮断する遮光状態と自然光を採り入れる採光状態とに切り換え可能な遮光手段を設け、
室内就寝者の就寝状態を検出する対人検出手段、及び、この対人検出手段による検出就寝状態に基づき前記照明手段及び前記遮光手段を自動操作する制御手段を設け、
この制御手段を、前記対人検出手段による検出就寝状態が設定覚醒傾向状態になったとき、消灯状態にある前記照明手段を点灯状態に切り換え、その後、検出就寝状態が第２の設定覚醒傾向状態になったとき、又は、設定待機時間を経過したとき、遮光状態にある前記遮光手段を採光状態に切り換える構成にしてある光制御システム。
【請求項４】
屋外の照度を検出する屋外照度センサを設け、前記制御手段は、前記採光状態への切り換え時において前記屋外照度センサによる検出屋外照度が設定下限照度よりも低いとき、前記採光状態への切り換えを中止する構成にしてある請求項１又は３記載の光制御システム。
【請求項５】
屋外の温度を検出する屋外温度センサを設け、前記制御手段は、前記採光状態への切り換え時において前記屋外温度センサによる検出屋外温度が設定下限温度よりも低いとき、又は、設定上限温度よりも高いとき、前記採光状態への切り換えを中止する構成にしてある請求項１〜４のいずれか１項に記載の光制御システム。
【請求項６】
前記制御手段は、前記点灯状態への切り換えにおいて、前記照明手段を最大出力状態よりも出力の低い減光点灯状態にする構成にしてある請求項１〜５のいずれか１項に記載の光制御システム。
【請求項７】
前記制御手段は、前記点灯状態への切り換えで前記照明手段を減光点灯状態にした後、前記照明手段の出力を漸次的に増大させる構成にしてある請求項６記載の光制御システム。
【請求項８】
前記制御手段は、前記点灯状態への切り換え後、前記照明手段の照射光の色温度を漸次的に高くする構成にしてある請求項１〜７のいずれか１項に記載の光制御システム。
【請求項９】
前記制御手段は、前記採光状態への切り換えにおいて、前記遮光手段を最大採光状態よりも採光率の低い制限採光状態にする構成にしてある請求項１〜８のいずれか１項に記載の光制御システム。
【請求項１０】
前記制御手段は、前記採光状態への切り換えで前記遮光手段を制限採光状態にした後、前記遮光手段の採光率を漸次的に高くする構成にしてある請求項９記載の光制御システム。
【請求項１１】
前記照明手段の光照射部は、前記遮光手段の遮光部よりも室内内方側における前記ガラス張り開口部の近傍箇所から前記ガラス張り開口部に向けて光照射する状態に配置してある請求項１〜１０のいずれか１項に記載の光制御システム。
【請求項１２】
対象室に自然光を採り入れるガラス張り開口部に、自然光を遮断する遮光状態と自然光を採り入れる採光状態とに切り換え可能な遮光手段を設け、
照明手段の光照射部を、前記遮光手段の遮光部よりも室内内方側における前記ガラス張り開口部の近傍箇所から前記ガラス張り開口部に向けて光照射する状態に配置し、
時刻設定手段より設定された起床時刻よりも設定時間だけ前の点灯時刻に至ったとき、又は、屋外照度センサにより検出される屋外の照度が設定点灯照度まで上昇したとき、又は、対人検出手段により検出される室内就寝者の就寝状態が設定覚醒傾向状態になったとき、消灯状態にある前記照明手段を最大出力状態よりも出力の低い減光点灯状態に切り換え、その後、前記照明手段の出力を漸次的に増大させる制御手段を設けてある光制御システム。
【請求項１３】
前記照明手段の光照射部は、前記遮光手段の遮光部とそれよりも室内内方側で前記ガラス張り開口部に対して配備された透光性の薄地カーテンとの間において、前記ガラス張り開口部の開口縁部に配置してある請求項１１又は１２記載の光制御システム。
【発明の詳細な説明】
【技術分野】
【０００１】
本発明は光制御システムに関し、詳しくは、就寝から心地良く目覚めさせるための光制御システムに関する。
【背景技術】
【０００２】
従来、覚醒のための光制御に関しては、設定された起床時刻よりも所定時間だけ前の時点で照明手段を自動的に消灯状態から減光点灯状態に切り換え、その後、設定起床時刻に至るまでの間に照明手段の出力（すなわち、照射光の明るさ）を自動的に漸次増大させるようにした目覚まし装置や照明装置が提案されている（特許文献１，２参照）。………従来例Ａ
【０００３】
また、光源の明るさや色の調整により、日の出とともに明るさや色が変化していく状況を寝室内に自動的に再現するようにし、そして、その照明の開始時間を設定できるようにした覚醒装置も提案されている（特許文献３参照）。………従来例Ｂ
【０００４】
また一方、目覚まし時計の動作に連動して、窓の採光面を自動的に開放し室内に自然光を採り入れるようにした目覚装置や、設定された起床時刻以前の時刻からシャッターを自動的かつ段階的に開いて、部屋に入光する自然光を段階的に増大させるようしたシャッター装置も提案されている（特許文献４，５参照）。………従来例Ｃ
【特許文献１】特開平７−３１８６７０号公報
【特許文献２】特開２０００−３４８８７５号公報
【特許文献３】特開２００１−２１７０８４号公報
【特許文献４】実用新案登録３０５４０４６号公報
【特許文献５】特開２００２−１８０７７１号公報
【発明の開示】
【発明が解決しようとする課題】
【０００５】
しかし、従来例Ａ，Ｂの装置では、照明手段の漸次的出力増大の過程を経て目覚めた後、人間がブラインドやカーテンなどの遮光手段を開いて初めて屋外の自然光を受けることができ、この為、遮光手段の開き操作が面倒であるばかりでなく、床上での目覚めの際に爽快な自然光を受けることができない点で、目覚め時の心地良さに欠ける問題があった。
【０００６】
また、出力の小さな照明手段では、ブラインドやカーテンが閉じられた状況下で実施する漸次的出力増大の最終段階で得られる室内照度が限られるため、目覚まし効果が低くなるとともに、目覚めたときに室内が薄暗くて、その薄暗さが目覚め時の心地良さを減じる一因ともなり、かと言って、照明手段の出力を自動的に漸次増大させることにおいて、その最終段階で十分な室内照度を確保しようとすれば、最大出力の大きな照明手段が必要になって、起床時以外の照明手段の使用で費やす電力量まで往々に増大することでランニングコストが高く付く問題もあった。
【０００７】
一方、従来例Ｃの装置では、爽快な自然光を受けて目覚めることができ、また、設定起床時刻以前の時刻からシャッターを段階的に開くものでは、室内照度が段階的に高くなる過程を経て覚醒に至ることによる目覚め時の心地良さも得ることができるものの、このようにシャッターやブラインドあるいはカーテンなどの遮光手段を漸次的に開くことで室内を徐々に明るくする方式では、遮光手段を開き始めて室内を明るくし始める装置始動時点から就寝中の長時間にわたって遮光手段が開かれた状態になるため、外部の騒音や外部の冷気あるいは外部の暑気や強い日差しなどの影響を受け易く、そのことが目覚め時の心地良さを減じる問題があり、また、室内状況を外部から見られてしまう可能性も高くなる問題があった。
【０００８】
そしてまた、シャッターやブラインドあるいはカーテンなどの遮光手段を徐々に開くだけでは、日の出の際の自然の明るさ変化に近い明るさ変化を室内に現出させるのは難しく、この点からも目覚め時の心地良さを得る上で不十分な面があった。
【０００９】
以上の実情に鑑み、本発明の主たる課題は、合理的な照度上昇方式を採ることで、上記の如き問題を効果的に解消する点にある。
【課題を解決するための手段】
【００１０】
〔１〕本発明の第１特徴構成は、対象室の室内を照明する照明手段を設け、前記対象室に自然光を採り入れるガラス張り開口部に、自然光を遮断する遮光状態と自然光を採り入れる採光状態とに切り換え可能な遮光手段を設け、
起床時刻を設定する時刻設定手段、及び、この時刻設定手段により設定された起床時刻に基づき前記照明手段及び前記遮光手段を自動操作する制御手段を設け、
この制御手段を、前記時刻設定手段による設定起床時刻よりも第１設定時間だけ前の点灯時刻に至ったとき、消灯状態にある前記照明手段を点灯状態に切り換え、その後、設定起床時刻よりも第２設定時間だけ前の採光時刻に至ったとき、又は、設定起床時刻に至ったとき、遮光状態にある前記遮光手段を採光状態に切り換える構成にしてある点に特徴がある。
【００１１】
この第１特徴構成によれば、点灯時刻から採光時刻又は設定起床時刻に至るまでの間は照明手段による照射光だけで室内を明るくし、その後、採光時間又は設定起床時間に至った後は照明手段による照射光とガラス張り開口部からの採り入れ自然光とで室内をさらに明るくするから、徐々に明るくなる過程を経て覚醒に至ることによる目覚め時の心地良さと、爽快な自然光を受けて目覚めることによる目覚め時の心地良さとを合わせて得ることができ、遮光手段を手動操作で採光状態にする手間もなくなる。
【００１２】
また、出力の小さな照明手段を用いて、起床時以外も含めた照明手段の使用で費やす電力量を極力抑えるようにしながらも、ガラス張り開口部からの採り入れ自然光と照明手段の照射光とをもって目覚め時の室内照度を十分に確保でき、このことからも目覚め時の心地良さを高めることができる。
【００１３】
しかも、最初は照明手段の照射光だけで室内を明るくし始めて採光時刻又は設定起床時刻に至るまでは照明手段の照射光だけで明るさを得るから、室内を明るくし始めるシステム始動時点から目覚めに至るまでの時間を十分に確保しながらも、遮光手段が採光状態にある時間を短くすることができて、その分、外部の騒音や外部の冷気あるいは外部の暑気や強い日差しなどの影響を受け難くすることができ、この点からも目覚め時の心地良さを一層高めることができ、また、室内状況を外部から見られてしまう可能性も低くすることができる。
【００１４】
さらに、照明手段を併用することで、日の出の際の自然の明るさ変化に近い明るさ変化を室内で現出させることも容易になり、この点からも目覚め時の心地良さをさらに高めることが可能になる。
【００１５】
そしてまた、この第１特徴構成では、採光時刻又は設定起床時刻において自然光が得られる時間帯であれば、時刻設定手段による起床時刻の設定変更により、任意の時間帯でシステムを使用して上記の各効果を得ることができ、このことから汎用性に優れたシステムにすることができる。
【００１６】
なお、第１特徴構成の実施においては、第１設定時間や第２設定時間を設定変更できるようにしておくのが望ましい。
【００１７】
〔２〕本発明の第２特徴構成は、対象室の室内を照明する照明手段を設け、前記対象室に自然光を採り入れるガラス張り開口部に、自然光を遮断する遮光状態と自然光を採り入れる採光状態とに切り換え可能な遮光手段を設け、
屋外の照度を検出する屋外照度センサ、及び、この屋外照度センサにより検出される屋外照度に基づき前記照明手段及び前記遮光手段を自動操作する制御手段を設け、
この制御手段を、前記屋外照度センサによる検出屋外照度が設定点灯照度まで上昇したとき、消灯状態にある前記照明手段を点灯状態に切り換え、その後、検出屋外照度が設定採光照度まで上昇したとき、又は、設定待機時間を経過したとき、遮光状態にある前記遮光手段を採光状態に切り換える構成にしてある点に特徴がある。
【００１８】
この第２特徴構成によれば、屋外照度が設定点灯照度から設定採光照度に上昇するまでの間、又は、屋外照度が設定点灯照度に上昇した時点から設定待機時間を経過するまでの間は、照明手段による照射光だけで室内を明るくし、その後、屋外照度が設定採光照度に上昇した後、又は、設定待機時間が経過した後は、照明手段による照射光とガラス張り開口部からの採り入れ自然光とで室内をさらに明るくするから、第１特徴構成と同様、徐々に明るくなる過程を経て覚醒に至ることによる目覚めの心地良さと、爽快な自然光を受けて目覚めることによる目覚めの心地良さとを合わせて得ることができ、遮光手段を手動操作で採光状態にする手間もなくなる。
【００１９】
また、出力の小さな照明手段を用いて、起床時以外も含めた照明手段の使用で費やす電力量を極力抑えるようにしながらも、ガラス張り開口部からの採り入れ自然光と照明手段の照射光とをもって目覚め時の室内照度を十分に確保でき、このことからも目覚めの心地良さを高めることができる。
【００２０】
しかも、最初は照明手段の照射光だけで室内を明るくし始めて屋外照度が設定採光照度に至るまで、又は、設定待機時間が経過するまでは、照明手段の照射光だけで明るさを得るから、室内を明るくし始めるシステム始動時点から目覚めに至るまでの時間を十分に確保しながらも、遮光手段が採光状態にある時間を短くすることができて、その分、外部の騒音や外部の冷気あるいは外部の暑気や強い日差しなどの影響を受け難くすることができ、この点からも目覚め時の心地良さを一層高めることができ、また、室内状況を外部から見られてしまう可能性も低くすることができる。
【００２１】
さらに、照明手段を併用することで、日の出の際の自然の明るさ変化に近い明るさ変化を室内で現出させることも容易になり、この点からも目覚め時の心地良さをさらに高めることが可能になる。
【００２２】
そしてまた、この第２特徴構成によれば、屋外照度の上昇に応じて室内を明るくし始めるから、日の出とともに起床するといった自然のリズムでの起床を望む場合に好適なシステムにすることができる。
【００２３】
なお、第２特徴構成の実施においては、設定点灯照度や設定採光照度又は設定待機時間を設定変更できるようにしておくのが望ましく、また、第２特徴構成の実施において、設定点灯照度及び設定採光照度は夫々、具体的な照度値の選定をもって設定する照度に限られるものではなく、場合によっては、室内照度との差が設定差となるときの屋外照度を設定点灯照度や設定採光照度とする方式を採用してもよい。
【００２４】
〔３〕本発明の第３特徴構成は、対象室の室内を照明する照明手段を設け、前記対象室に自然光を採り入れるガラス張り開口部に、自然光を遮断する遮光状態と自然光を採り入れる採光状態とに切り換え可能な遮光手段を設け、
室内就寝者の就寝状態を検出する対人検出手段、及び、この対人検出手段による検出就寝状態に基づき前記照明手段及び前記遮光手段を自動操作する制御手段を設け、
この制御手段を、前記対人検出手段による検出就寝状態が設定覚醒傾向状態になったとき、消灯状態にある前記照明手段を点灯状態に切り換え、その後、検出就寝状態が第２の設定覚醒傾向状態になったとき、又は、設定待機時間を経過したとき、遮光状態にある前記遮光手段を採光状態に切り換える構成にしてある点に特徴がある。
【００２５】
この第３特徴構成によれば、就寝者の就寝状態が設定覚醒傾向状態から第２の設定覚醒傾向状態になるまでの間、又は、就寝状態が設定覚醒傾向状態になった時点から設定待機時間を経過するまでの間は、照明手段による照射光だけで室内を明るくし、その後、就寝状態が第２の設定覚醒傾向状態になった後、又は、設定待機時間が経過した後は、照明手段による照射光とガラス張り開口部からの採り入れ自然光とで室内をさらに明るくするから、第１，第２特徴構成と同様、徐々に明るくなる過程を経て覚醒に至ることによる目覚め時の心地良さと、爽快な自然光を受けて目覚めることによる目覚め時の心地良さとを合わせて得ることができ、遮光手段を手動操作で採光状態にする手間もなくなる。
【００２６】
また、出力の小さな照明手段を用いて、起床時以外も含めた照明手段の使用で費やす電力量を極力抑えるようにしながらも、ガラス張り開口部からの採り入れ自然光と照明手段の照射光とをもって目覚め時の室内照度を十分に確保でき、このことからも目覚め時の心地良さを高めることができる。
【００２７】
しかも、最初は照明手段の照射光だけで室内を明るくし始めて就寝状態が第２の設定覚醒傾向状態になるまで、又は、設定待機時間が経過するまでは、照明手段の照射光だけで明るさを得るから、室内を明るくし始めるシステム始動時点から目覚めに至るまでの時間を十分に確保しながらも、遮光手段が採光状態にある時間を短くすることができて、その分、外部の騒音や外部の冷気あるいは外部の暑気や強い日差しなどの影響を受け難くすることができ、この点からも目覚め時の心地良さを一層高めることができ、また、室内状況を外部から見られてしまう可能性も低くすることができる。
【００２８】
さらに、照明手段を併用することで、日の出の際の自然の明るさ変化に近い明るさ変化を室内で現出させることも容易になり、この点からも目覚め時の心地良さをさらに高めることが可能になる。
【００２９】
そしてまた、この第３特徴構成によれば、室内就寝者の状態変化に応じて室内を明るくし始めるから、体調や身体のリズムに応じて起床するといった起床を望む場合に好適なシステムにすることができる。
【００３０】
なお、第３特徴構成の実施において、対人検出手段により検出する就寝者の就寝状態は、脈拍状態、脳波状態、体温状態、身体の動きなど、覚醒傾向にあるか否かを判定し得るものであれば、どのようなものであってもよく、また、第３特徴構成の実施においては、設定覚醒傾向状態や第２の設定覚醒傾向状態を設定変更できるようにしておくのが望ましい。
【００３１】
第１〜第３特徴構成の実施において、照明手段は、天井に配備するもの、壁に配備するもの、卓上に置くもの、就寝者の頭部近くに配備するものなど、どのような形式のものであってもよく、また、複数の形式を組み合わせて使用するものにしてもよい。
【００３２】
第１〜第３特徴構成の実施において、遮光手段は、ブラインド、カーテン、シャッターなど、遮光状態と採光状態との切り換えが可能なものであれば、どのようなものであってもよく、ガラス張り開口部のガラスの透明度を変化させることで遮光するものであってもよい。
【００３３】
ちなみに、照明手段と遮光手段とを連係動作させる技術としては、室内照度を設定照度に保つようにブラインドの開度を自動調整し、そして、ブラインドの開度を全開にしても設定照度に満たないときには室内照明器具を自動的に点灯制御するといった技術（特開昭６１−１４６９９２号公報参照）や、タイマー動作に基づいてブラインドのスラットの昇降及び角度調整、蛍光灯の点灯及び消灯を制御するプログラムを設定し得るようにする技術（特開平１−１９２９９１号参照）も提案されているが、これらの提案技術は、照明手段の出力を漸次的に増大させるだけの先述の従来例１，２の装置や、遮光手段の開度を漸次的に大きくするだけの先述の従来例３の装置に比べ、照明手段と遮光手段との連係動作により室内照度を徐々に高めることで、目覚め時の心地良さを一層効果的に高めるといった課題，思想の存在するものではない。
【００３４】
また、照明手段と遮光手段とを連係動作させて室内を徐々に明るくするには、照明手段の出力を漸次的に増大させることと、遮光手段の採光率を漸次的に高めることとを同時に開始して併行させるシステム、あるいは、先に遮光手段を最大採光状態よりも採光率の低い制限採光状態にし、その後、照明手段を点灯状態にするシステムも考えられ、各システムとも照明手段と遮光手段とを併用することによる効果を期待できるが、これらのシステムでは、室内を明るくし始めるシステム始動時点から目覚めに至るまでの時間を長く確保しながらも、遮光手段が採光状態にある時間を短くするといったことができず、外部の騒音や外部の冷気あるいは外部の暑気や強い日差しなどの影響を受け易くなり、また、室内状況を外部から見られてしまう可能性も高くなり、この点において上記第１、第２、第３特徴構成を採るシステムの方が有利になる。
【００３５】
〔４〕本発明の第４特徴構成は、屋外の照度を検出する屋外照度センサを設け、前記制御手段は、前記採光状態への切り換え時において前記屋外照度センサによる検出屋外照度が設定下限照度よりも低いとき、前記採光状態への切り換えを中止する構成にしてあることにある。
【００３６】
この第４特徴構成によれば、前記採光状態への切り換え時に、その日の天候やそのときの時刻などにより屋外照度が低くて、遮光手段を採光状態に切り換えても十分な自然光を室内に採り入れることができず、遮光手段を採光状態に切り換える方が却って、外部の騒音や外部の冷気などの影響を受け易くなる分だけ、また、室内状況を屋外から見られてしまう可能性が高くなる分（この場合、先行する照明手段の点灯状態への切り換えにより室内が明るく屋外が暗い状況にあることから屋外から室内状況を見られてしまう可能性は特に高くなる）だけ不利になるような場合に、そのような不利な状態を招くことを自動的に回避することができる。そして、この機能は第１特徴構成又は第３特徴構成の実施において特に有用なものになる。
【００３７】
なお、第４特徴構成の実施においては、設定下限照度を設定変更できるようにしておくのが望ましく、また、第４特徴構成の実施において、設定下限照度は、具体的な照度値の選定をもって設定する照度に限られるものではなく、室内照度との差が設定差（設定差＝０を含む）となるときの屋外照度を設定下限照度にする方式を採用してもよく、採光状態への不要な切り換えを回避する意味では後者の方式を採る方が望ましい場合もある。
【００３８】
〔５〕本発明の第５特徴構成は、屋外の温度を検出する屋外温度センサを設け、前記制御手段は、前記採光状態への切り換え時において前記屋外温度センサによる検出屋外温度が設定下限温度よりも低いとき、又は、設定上限温度よりも高いとき、前記採光状態への切り換えを中止する構成にしてある点に特徴がある。
【００３９】
この第５特徴構成において、検出屋外温度が設定下限温度よりも低いときに採光状態への切り換えを中止する構成を採れば、前記採光状態への切り換え時に、その日の気候により屋外温度がかなり低くて、遮光手段を採光状態に切り換えた場合、自然光は室内に採り入れられるものの、外部の強い冷気の影響で却って目覚め時の心地良さを減じるようなときに、そのような事態を招くことを自動的に回避することができる。
【００４０】
また、この第５特徴構成において、検出屋外温度が設定上限温度よりも高いときに採光状態への切り換えを中止する構成を採れば、前記採光状態への切り換え時に、その日の気候により屋外温度がかなり高くて、遮光手段を採光状態に切り換えた場合、自然光は室内に採り入れられるものの、外部の強い暑気の影響で却って目覚め時の心地良さを減じるようなときに、そのような事態を招くことを自動的に回避することができる。
【００４１】
なお、第５特徴構成の実施においては、検出屋外温度が設定下限温度よりも低いときに採光状態への切り換えを中止する構成と、検出屋外温度が設定上限温度よりも高いときに採光状態への切り換えを中止する構成とのいずれか一方のみを実施する形態、あるいは、両方を実施する形態のいずれを採ってもよい。
【００４２】
また、第５特徴構成の実施においては、設定下限温度や設定上限温度を設定変更できるようにしておくのが望ましく、さらに、第５特徴構成の実施において、設定下限温度や設定上限温度は、具体的な温度値の選定をもって設定する温度に限られるものではなく、室内温度との差が設定差となるときの屋外温度を設定下限温度や設定上限温度にする方式を採用してもよく、冷気や暑気が室内就寝者に及ぼす悪影響を防ぐ意味では後者の方式を採る方が望ましい場合もある。
【００４３】
〔６〕本発明の第６特徴構成は、前記制御手段は、前記点灯状態への切り換えにおいて、前記照明手段を最大出力状態よりも出力の低い減光点灯状態にする構成にしてある点に特徴がある。
【００４４】
この第６特徴構成によれば、消灯状態にある照明手段を点灯状態に切り換えて室内を明るくし始める際、その時の照明手段の照射光が明るすぎて、却って後の目覚め時の心地良さを減じることや、その時点で就寝者を半ば強制的に目覚めさせてしまうことを回避することができ、これにより、室内を徐々に明るくすることで心地良く目覚めさせるという所期の目的の達成を一層確実にすることができる。
【００４５】
なお、第６特徴構成の実施においては、点灯状態への切り換えで実施する減光点灯状態において採る照明手段の出力（照射光の明るさ）を設定変更できるようにしておくのが望ましい。
【００４６】
〔７〕本発明の第７特徴構成は、前記制御手段は、前記点灯状態への切り換えで前記照明手段を減光点灯状態にした後、前記照明手段の出力を漸次的に増大させる構成にしてある点に特徴がある。
【００４７】
この第７特徴構成によれば、減光点灯状態から照明手段の出力（照射光の明るさ）を漸次的に増大させることで、日の出の際の自然の明るさ変化に一層近い明るさ変化を室内に現出させることができ、これにより、目覚め時の心地良さを一層高めることができる。
【００４８】
なお、第７特徴構成の実施において、照明手段の出力を漸次的に増大させるにあたっては、出力を段階的に増大させる形態、あるいは、連続的に増大させる形態のいずれを採ってもよい。
【００４９】
また、その漸次的な出力増大の増大パターン（換言すれば、室内照度の上昇パターン）も種々のパターンを採用でき、その増大パターンを設定変更できるようにしてもよい。
【００５０】
〔８〕本発明の第８特徴構成は、前記制御手段は、前記点灯状態への切り換え後、前記照明手段の照射光の色温度を漸次的に高くする構成にしてある点に特徴がある。
【００５１】
この第８特徴構成によれば、照明手段の照射光の色温度を漸次的に高くすることで、日の出の際の自然の色温度変化に近い色温度変化を室内に現出させることができ、これにより、目覚め時の心地良さを一層高めることができる。
【００５２】
なお、第８特徴構成の実施において、照明手段の照射光の色温度を漸次的に高くするにあたっては、色温度を段階的に高くする形態、あるいは、連続的に高くする形態のいずれを採ってもよい。
【００５３】
また、その漸次的な色温度上昇の上昇パターンも種々のパターンを採用でき、場合によっては、その上昇パターンを設定変更できるようにしてもよい。
【００５４】
〔９〕本発明の第９特徴構成は、前記制御手段は、前記採光状態への切り換えにおいて、前記遮光手段を最大採光状態よりも採光率の低い制限採光状態にする構成にしてある点に特徴がある。
【００５５】
この第９特徴構成によれば、遮光状態にある遮光手段を採光状態に切り換えて室内に自然光を採り入れる際、その時の自然光の採り入れ量が多すぎて、却って目覚め時の心地良さを減じることや、その時点で就寝者を半ば強制的に目覚めさせてしまうことを回避することができ、これにより、室内を徐々に明るくすることで心地良く目覚めさせるという所期の目的の達成を一層確実にすることができる。
【００５６】
なお、第９特徴構成の実施においては、採光状態への切り換えで実施する制限採光状態において採る遮光手段の採光率（自然光の採り入れ程度）を設定変更できるようにしておくのが望ましい。
【００５７】
〔１０〕本発明の第１０特徴構成は、前記制御手段は、前記採光状態への切り換えで前記遮光手段を制限採光状態にした後、前記遮光手段の採光率を漸次的に高くする構成にしてある点に特徴がある。
【００５８】
この第１０特徴構成によれば、制限採光状態から遮光手段の採光率（自然光の採り入れ程度）を漸次的に増大させることで、日の出の際の自然の明るさ変化に一層近い明るさ変化を室内に現出させることができ、これにより、目覚め時の心地良さを一層高めることができる。
【００５９】
なお、第１０特徴構成の実施において、遮光手段の採光率を漸次的に増大させるにあたっては、採光率を段階的に増大させる形態、あるいは、連続的に増大させる形態のいずれを採ってもよい。
【００６０】
また、その漸次的な最効率増大の増大パターン（換言すれば、室内照度の上昇パターン）も種々のパターンを採用でき、場合によっては、その増大パターンを設定変更できるようにしてもよい。
【００６１】
〔１１〕本発明の第１１特徴構成は、前記照明手段の光照射部は、前記遮光手段の遮光部よりも室内内方側における前記ガラス張り開口部の近傍箇所から前記ガラス張り開口部に向けて光照射する状態に配置してある点に特徴がある。
【００６２】
この第１１特徴構成によれば、遮光手段（特に採光状態への切り換えに至るまでの遮光状態にある遮光手段）の遮光部をスクリーンとして利用し、照明手段の光照射部からの照射光を遮光手段の遮光部で反射させる形態で室内を照明することができ、これにより、全体がボンヤリと明るくなる自然の日の出時の明るさに近い明るさを室内に効果的に現出させることができ、また、遮光手段を採光状態に切り換えてガラス張り開口部から自然光を採り入れる前と後との連続性も一層良好にすることができ、これにより、目覚め時の心地良さを一層高めることができる。
【００６３】
〔１２〕本発明の第１２特徴構成は、対象室に自然光を採り入れるガラス張り開口部に、自然光を遮断する遮光状態と自然光を採り入れる採光状態とに切り換え可能な遮光手段を設け、
照明手段の光照射部を、前記遮光手段の遮光部よりも室内内方側における前記ガラス張り開口部の近傍箇所から前記ガラス張り開口部に向けて光照射する状態に配置し、
時刻設定手段より設定された起床時刻よりも設定時間だけ前の点灯時刻に至ったとき、又は、屋外照度センサにより検出される屋外の照度が設定点灯照度まで上昇したとき、又は、対人検出手段により検出される室内就寝者の就寝状態が設定覚醒傾向状態になったとき、消灯状態にある前記照明手段を最大出力状態よりも出力の低い減光点灯状態に切り換え、その後、前記照明手段の出力を漸次的に増大させる制御手段を設けてある点に特徴がある。
【００６４】
この第１２特徴構成によれば、遮光状態にした遮光手段の遮光部をスクリーンとして利用し、照明手段の光照射部からの照射光を遮光手段の遮光部で反射させる形態で室内を照明することができ、この照明形態において、消灯状態にある照明手段を最大出力状態よりも出力の低い減光点灯状態に切り換え、その後、照明手段の出力（照射光の明るさ）を漸次的に増大させることにより、全体がボンヤリと明るくなっていく日の出の際の自然の明るさ変化に近い明るさ変化を室内に効果的に現出させることができる。
【００６５】
したがって、消灯状態にある照明手段の減光点灯状態への上記切り換えを、時刻設定手段より設定された起床時刻よりも設定時間だけ前の点灯時刻に至ったとき、又は、屋外照度センサにより検出される屋外の照度が設定点灯照度まで上昇したとき、又は、対人検出手段により検出される室内就寝者の就寝状態が設定覚醒傾向状態になったときに行う形態で、その減光点灯状態への切り換え、及び、それに続く照明手段の漸次的な出力増大を制御手段に自動的に実行させることにより、全体がボンヤリと明るくなっていく日の出の際の自然の明るさ変化に近い明るさ変化を経て室内就寝者を覚醒に至らせることができ、これにより、就寝者を心地良く目覚めさせることができる。
【００６６】
また、遮光手段は遮光状態のままにしながら上記の如く日の出時の自然の明るさ変化に近い明るさ変化を経て就寝者を覚醒に至らせることができるから、外部の騒音や外部の冷気あるいは外部の暑気や強い日差しなどの影響を受け難くすることができ、この点からも目覚め時の心地良さを一層高めることができ、さらに、室内状況を外部から見られてしまう可能性も低くすることができる。
【００６７】
そしてまた、照明手段の漸次的な出力増大に続き、遮光手段を遮光状態から採光状態に自動的に切り換えるようにすれば、遮光手段を採光状態に切り換えてガラス張り開口部から自然光を採り入れる前と後との連続性も良好にしながら、最終的に室内就寝者を爽快な自然光を受けた状態で目覚めさせることができて、目覚め時の心地良さを一層効果的に高めることができる。
【００６８】
なお、第１２特徴構成の実施において、照明手段の減光点灯状態への切り換えを、時刻設定手段より設定された起床時刻よりも設定時間だけ前の点灯時刻に至ったときに制御手段に実行させる構成を採れば、時刻設定手段による起床時刻の設定変更により、任意の時間帯でシステムを使用して上記の各効果を得ることができ、このことから汎用性に優れたシステムにすることができる。
【００６９】
また、照明手段の減光点灯状態への切り換えを、屋外照度センサにより検出される屋外の照度が設定点灯照度まで上昇したときに制御手段に実行させる構成を採れば、屋外照度の上昇に応じて室内を明るくし始めることから、日の出とともに起床するといった自然のリズムでの起床を望む場合に好適なシステムにすることができる。
【００７０】
また、照明手段の減光点灯状態への切り換えを、対人検出手段により検出される室内就寝者の就寝状態が設定覚醒傾向状態になったときに制御手段に実行させる構成を採れば、室内就寝者の状態変化に応じて室内を明るくし始めることから、体調や身体のリズムに応じて起床するといった起床を望む場合に好適なシステムにすることができる。
【００７１】
第１２特徴構成の実施においては、時刻設定手段より設定された起床時刻よりも設定時間だけ前の点灯時刻に至ったときに照明手段の減光点灯状態への切り換えを制御手段に実行させる形態と、屋外照度センサにより検出される屋外の照度が設定点灯照度まで上昇したときに照明手段の減光点灯状態への切り換えを制御手段に実行させる形態と、対人検出手段により検出される室内就寝者の就寝状態が設定覚醒傾向状態になったときに照明手段の減光点灯状態への切り換えを制御手段に実行させる形態とのうち、少なくとも二者の形態について、いずれの形態を採用するかを選択できるようにしてもよい。
【００７２】
第１２特徴構成の実施においては、設定時間、設定点灯照度、設定覚醒傾向状態を設定変更できるようにしておくのが望ましく、また、設定点灯照度は、具体的な照度値をもって設定する照度に限られるものではなく、室内照度との差が設定値となるときの屋外照度を設定点灯照度とする方式を採用してもよい。
【００７３】
第１２特徴構成の実施において、対人検出手段により検出する就寝者の就寝状態は、脈拍状態、脳波状態、体温状態、身体の動きなど、覚醒傾向にあるか否かを判定し得るものであれば、どのようなものであってもよい。
【００７４】
第１２特徴構成の実施において、遮光手段は、ブラインド、カーテン、シャッターなど、遮光状態と採光状態との切り換えが可能なものであれば、どのようなものであってもよく、ガラス張り開口部のガラスの透明度を変化させることで遮光するものであってもよい。また、遮光状態にある遮光手段の採光状態への切り換えは、手動操作で行うようにしてもよい。
【００７５】
第１２特徴構成の実施においては、消灯状態から切り換える減光点灯状態において採る照明手段の出力を設定変更できるようにしておくのが望ましい。
【００７６】
第１２特徴構成の実施において、照明手段の出力を漸次的に増大させるにあたっては、出力を段階的に増大させる形態、あるいは、連続的に増大させる形態のいずれを採ってもよく、また、その漸次的な出力増大の増大パターン（換言すれば、室内照度の上昇パターン）も種々のパターンを採用でき、その増大パターンを設定変更できるようにしてもよい。
【００７７】
第１２特徴構成の実施において、照明手段の出力を漸次的に増大させるのに併行して、照明手段の照射光の色温度を漸次的に高くするようにすれば、日の出の際の自然の色温度変化に近い色温度変化を室内に現出させることができて、目覚め時の心地良さを一層高めることができる。
【００７８】
〔１３〕本発明の第１３特徴構成は、前記照明手段の光照射部は、前記遮光手段の遮光部とそれよりも室内内方側で前記ガラス張り開口部に対して配備された透光性の薄地カーテンとの間において、前記ガラス張り開口部の開口縁部に配置してある点に特徴がある。
【００７９】
この第１３特徴構成によれば、遮光手段の遮光部をスクリーンとして利用し、照明手段の光照射部からの照射光を遮光手段の遮光部で反射させる形態で室内を照明することにおいて、その反射光を透光性の薄地カーテンを透して室内側に放散させることができ、これにより、全体がボンヤリと明るくなる自然の日の出時の明るさに近い明るさを一層効果的に現出させることができる。
【００８０】
そしてまた、夕方から夜にかけて屋外が暗くなると、遮光手段を遮光状態にせず薄地カーテンだけを閉じている状態では、照明状態にある室内が薄地カーテンを透して屋外から見通せるようになるが、第１３特徴構成によれば、屋外が暗くなってきたとき、遮光手段を遮光状態に切り換えずとも、照明手段を点灯状態に切り換えて光照射部から光照射させれば、薄地カーテンの屋外側の面の照りにより薄地カーテンのみが外部から見える状態にすることができて、外部からの室内の見通しを防ぐことができるとともに、外部からみてガラス張り開口部が明るい状態にあることで、室内に人がいるかの如く外部の者に思わせることができて防犯上の効果も得ることができる。
【００８１】
なお、第１３特徴構成の実施にあたり、照明手段の光照射部として、複数の小さな照射部をガラス張り開口部の開口周方向に分散させて配置すれば、ボンヤリとした明るさを一層効果的に現出させることができる。
【００８２】
また、このように複数の光照射部を分散配置する場合、照明手段の光源部から延出させた複数の光ファイバーの各先端を光照射部の各々に接続して、光源部で発生させた光を光ファイバーを通じて各光照射部から照射させる構成を採れば、例えば、複数の光照射部として各々独立した複数の光源器をガラス張り開口部の開口縁部に分散配置するのに比べ、装置構造を簡単にし得るとともに、複数の光照射部からの照射光の明るさを均一にして、その均一さを保った状態で照射光の明るさを漸次的に変化させることができる。
【発明を実施するための最良の形態】
【００８３】
〔第１実施形態〕
図１，図２は寝室におけるガラス窓部を示し、このガラス窓部１には、窓ガラス２を取付けた窓扉３を設けるとともに、その窓扉３の室内側の面に近接させてブラインド４を設け、また、そのブラインド４の室内内方側の面に近接させてレース地カーテン５を設けてある。
【００８４】
ブラインド４は、多数の羽根４ａの角度調整による開度の調整及びそれら羽根４ａの昇降による開閉を電動により行う電動式ブラインドにしてあり、室内に設けたリモコン６を手動操作することによるブラインド操作を可能にするとともに、後述する目覚まし制御では、多数の羽根４ａの角度調整による開度の調整（つまり、採光率の調整）を制御器７により自動的に行うようにしてある。
【００８５】
ガラス窓部１における枠部の下辺部分には、ブラインド４の羽根４ａ（すなわち、ブラインドの遮光部）とレース地カーテン５との間において上向きに光照射する複数の埋め込み状の光照射部８をガラス窓部１の幅方向に並べて一列状に配置してあり、これら光照射部８から光照射することで、降下させた状態にあるブラインド４の多数の羽根４ａの室内内方側の面、及び、レース時カーテン５の屋外側の面の夫々を均一に照らすようにしてある。
【００８６】
ガラス窓部１の近傍における天井裏空間など、適当な隠蔽スペースには、光照射部８から照射させる光Ｌを発生する照明器本体９を設置してあり、この照明器本体９のケース９ａ内には、ＨＩＤを光源とする光源器１０、光の明るさと色温度を調整する光調整器１１、及び、制御器７を設け、この照明器本体９から延出させた複数の光ファイバー１２の各先端を光照射部８の各々に接続してある。
【００８７】
つまり、光源器１０で発生させた光を光ファイバー１２を通じて各光照射部８から照射させるようにしてあり、また、光ファイバー１２を通じて各光照射部８から照射させる光Ｌの明るさ及び色温度を光調整器１１により調整するようにしてある。
【００８８】
図３，図４に示す如く、光調整器１１は、互いの回転軸芯ｐ１，ｐ２が平行な二枚の回転盤１１ａ，１１ｂをそれらの周方向の一部分どうしが重なる状態に、かつ、その重なり部が光源器１０とファイバー入光部１３との間の光路ｒ上に位置する状態に配置して構成してあり、一方の回転盤１１ａには、日の出時の自然光の色変化を模すための複数の色温度の光色フィルタ１４ａ〜１４ｈを周方向に色温度順に並べて設けてある。
【００８９】
また、他方の回転盤１１ｂには、開口率を段階的に異ならせた通過光量調整用の複数の多孔部１５ａ〜１５ｈ（開口率の最も大きな多孔部１５ｈについては実質的に遮光部分がない一つの開口）を周方向に開口率順に並べて設けてあり、これら回転盤１１ａ，１１ｂを光源器１０による光発生下で所定角度ずつ間歇的に回転させて、光色フィルタ１４ａ〜１４ｈを色温度の低いものから順に光路ｒ上に位置させ、かつ、通過光量調整用の多孔部１５ａ〜１５ｈを開口率の小さいものから順に光路ｒに位置させることにより、光照射部８からの照射光Ｌの明るさ及び色温度を、日の出時の自然光の明るさ変化及び色温度変化に似させて漸次的に変化させるようにしてある。
【００９０】
ガラス窓部１の近くで屋外には屋外センサユニット１６を設け、室内には室内センサユニット１７を設けてあり、屋外センサユニット１６には、屋外の照度ｓｏを検出する屋外照度センサ１６ａと屋外の温度ｔｏを検出する屋外温度センサ１６ｂとを装備し、一方、室内センサユニット１７には、室内の照度ｓｉを検出する室内照度センサ１７ａと室内の温度ｔｉを検出する室内温度センサ１７ｂとを装備してある。
【００９１】
また、リモコン６には、羽根４ａの角度調整によるブラインド４の開度の調整、及び、羽根４ａの昇降によるブラインド４の開閉を手動操作で行うためのブラインド操作用キー１８ａ，１８ｂとともに、テンプレートキー１９、入力モードを切り換えるモード選択キー２０、並びに、選択した入力モードの内容や設定した時間・時刻などを表示する液晶モニター２１を設けてあり、モード選択キー２０により入力モードを選択した状態でテンプレートキー１９を操作することにより、目覚まし制御のＯＮ／ＯＦＦ、起床時刻Ｔｗ、第１時間ΔＴ１，第２時間ΔＴ２、夕暮点灯制御のＯＮ／ＯＦＦを照明器本体９の制御器７に対して設定できるようにしてある。
【００９２】
そして、制御器７は、この設定操作で目覚まし制御のＯＮが設定された場合、次の（イ）〜（ニ）の目覚まし制御を実行する構成にしてある（図５、図６参照）。
【００９３】
（イ）ブラインド４を遮光状態（本例では、羽根４ａを降下させて羽根４ａをほぼ鉛直姿勢に角度調整した状態）するとともに、室内照明をＯＦＦにして室内者が就寝している状況において、時刻が室内者により設定された起床時刻Ｔｗよりも第１設定時間ΔＴ１（室内者により設定された第１時間）だけ前の点灯時刻Ｔｘ（＝Ｔｗ−ΔＴ１）に至ったとき、光調整器１１における色温度の最も低い光色フィルタ１４ａ及び開口率の最も小さい多孔部１５ａを光路ｒに位置させる状態にして光源器１０を起動し、これにより、それまで消灯状態にあった光照射部８を照射光Ｌの色温度が低い状態での小出力の減光点灯状態に切り換える。
【００９４】
（ロ）減光点灯状態へ切り換えた後、光色調器１１における二枚の回転盤１１ａ，１１ｂを、第１設定時間ΔＴ１と第２設定時間ΔＴ２（室内者により設定された第２時間）との差に応じて演算決定した時間間隔ΔＴａ〜ΔＴｇで所定角度ずつ間歇的に回転させ、これにより、光照射部８からの照射光Ｌの明るさ（出力）及び色温度を上記時間間隔ΔＴａ〜ΔＴｇで段階的に高める。
【００９５】
（ハ）その後、光調整器１１における色温度の最も高い光色フィルタ１４ｈ及び開口率の最も大きな多孔部１５ｈを光路ｒに位置させた状態で、光照射部８から最も明るく最も高い色温度の光Ｌを照射している状況において、設定起床時刻Ｔｗよりも第２設定時間ΔＴ２だけ前の採光時刻Ｔｙ（Ｔｗ−ΔＴ２）に至ったとき、それまで遮光状態にあったブラインド４の制限採光状態への切り換えとして、ブラインド４の羽根４ａの水平姿勢側への角度調整を開始する。
【００９６】
但し、採光時刻Ｔｙに至った時点において、室内照度センサ１７ａにより検出される室内照度ｓｉを設定下限照度ｓｓａとし、この設定下限照度ｓｓａ（＝採光時刻のｓｉ）よりも屋外照度センサ１６ａによる検出屋外照度ｓｏが低い場合（ｓｏ＜ｓｓａ）には、ブラインド４の採光状態への切り換え、及び、後述するブラインド４の漸次的な開度増大を中止する。
【００９７】
また同様に、採光時刻Ｔｙに至った時点において、室内温度センサ１７ｂにより検出される室内温度ｔｉよりも設定温度差Δｔａだけ低い温度を設定下限温度ｔｔａとし、この設定下限温度ｔｔａ（＝採光時刻のｔｉ−Δｔａ）よりも屋外温度センサ１６ｂによる検出屋外温度ｔｏが低い場合（ｔｏ＜ｔｔａ）、及び、採光時刻Ｔｙに至った時点において、室内温度センサ１７ｂにより検出される室内温度ｔｉよりも設定温度差Δｔｂだけ高い温度を設定上限温度ｔｔｂとし、この設定上限温度ｔｔｂ（＝採光時刻のｔｉ＋Δｔｂ）よりも屋外温度センサ１６ｂによる検出屋外温度ｔｏが高い場合（ｔｏ＞ｔｔｂ）には、ブラインド４の採光状態への切り換え、及び、後述するブラインド４の漸次的な開度増大を中止する。
【００９８】
（ニ）ブラインド４の採光状態への切り換えとして上記採光時刻Ｔｙにブラインド４の羽根４ａの水平姿勢側への角度調整を開始した場合、それに続き、第２設定時間ΔＴ２に応じて演算決定した速度で、ブラインド４の羽根４ａを水平姿勢側へ連続的に角度変化させ、これにより、設定起床時刻Ｔｗに至った時点でブラインド４の開度（採光率）が最大になるようにブラインド４の開度を漸次的に増大させる。
【００９９】
つまり、上記の如く、設定起床時刻Ｔｗよりも以前の点灯時刻Ｔｘで光照射部８を消灯状態から減光点灯状態にし、その後、点灯時刻Ｔｘから採光時刻Ｔｙにかけて光照射部８からの照射光Ｌの明るさ及び色温度を漸次的に高めるとともに、それに続き、採光時刻Ｔｙにブラインド４を遮光状態から制限採光状態に切り換えて、その後、ブラインド４の開度（採光率）を設定起床時刻Ｔｗにおいて最大開度になるように漸次的に増大させることにより、図６に示す如く、設定起床時刻Ｔｗに向けて室内の照度ｓｉ及び色温度ｃｔを徐々に高めるようにし、これにより、日の出時の自然の明るさ変化を室内で擬似的に現出して、室内就寝者を心地良く目覚めさせるようにしてある（なお、図６において細い破線は日の出時における自然光の明るさ変化を示す）。
【０１００】
また、ブラインド４の羽根４ａをスクリーンに利用して光照射部８からの照射光Ｌをブラインド４の羽根４で反射させる形態で、さらには、その反射光を透光性のレース地カーテン５を透して室内側に放散させる形態で室内を照明することにより、全体がボンヤリと明るくなる自然の日の出時の様子が一層効果的に現出されるようにしてある。
【０１０１】
そしてまた、採光時刻Ｔｙに至った時点において、屋外照度ｓｏが設定下限照度ｓｓａ（＝採光時刻の室内照度ｓｉ）よりも低い場合や、屋外温度ｔｏが設定下限温度ｔｔａ（＝採光時刻の室内温度ｔｉ−Δｔａ）よりも低い場合、あるいは、屋外温度ｔｏが設定上限温度ｔｔｂ（＝採光時刻の室内温度ｔｉ＋Δｔｂ）よりも高い場合には、ブラインド４の採光状態への切り換えを自動的に中止することにより、ブラインド４の採光状態への切り換えのために屋外の騒音や冷気あるいは暑気の影響で却って目覚めの心地良さが減じるのを防止するようにしてある。
【０１０２】
また一方、制御器７は前記の設定操作で夕暮点灯制御のＯＮが設定された場合、次の（ホ）の夕暮点灯制御を実行する。
【０１０３】
（ホ）室内照度センサ１７ａにより検出される室内照度ｓｉを設定閾照度ｓｓｃとし、この設定閾照度ｓｓｃ（＝室内照度ｓｉ）よりも屋外照度センサ１６ａによる検出屋外照度ｓｏが低くなったとき（ｓｏ＜ｓｓｃ）、光調整器１１における複数の光色フィルタ１４ａ〜１４ｈ及び複数の多孔部１５ａ〜１５ｈのうち各々、所定のものを光路ｒに位置させた状態で光源器１０を起動し、これにより、それまで消灯状態にあった光照射部８を点灯状態に切り換える。
【０１０４】
つまり、夕方から夜にかけて屋外が暗くなると、ブラインド４を遮光状態にせずレース地カーテン５だけを閉じている状態では、室内（特に照明状態にある室内）がレース地カーテン５を透して屋外から見通せるようになるが、上記の如く、屋外照度ｓｏが設定閾照度ｓｓｃ（＝同時点の室内照度ｓｉ）よりも低くなったとき、光照射部８を自動的に点灯状態に切り換えることにより、光照射部８からの光照射Ｌによるレース地カーテン５の屋外側の面の照りでレース地カーテン５のみが外部から見える状態にして、ブラインド４を遮光状態に切り換えずとも外部からの室内の見通しを防げるように、また、外部からみてガラス窓部１が明るい状態にあることで、室内に人がいるかの如く外部の者に思わせ得るようにしてある。
【０１０５】
以上要するに、ガラス窓部１は対象室に自然光を採り入れるガラス張り開口部であり、ブラインド４は外光を遮断する遮光状態と外光を取り入れる採光状態とに切り換え可能な遮光手段であり、光照射部８及び照明器本体９は対象室の室内を照明する照明手段であり、この照明手段の光照射部８は、遮光手段４の遮光部（羽根４ａ）とそれよりも室内内方側でガラス張り開口部１に対して配備された透光性の薄地カーテン（レース地カーテン５）との間において、ガラス張り開口部１に向けて光照射する状態にガラス張り開口部１の開口縁部に配置してある。
【０１０６】
そして、本第１実施形態において、リモコン６は起床時刻Ｔｗを設定する時刻設定手段を構成し、制御器７は、時刻設定手段６により設定された起床時刻Ｔｗに基づき照明手段８，９及び遮光手段４を自動操作する制御手段を構成し、この制御手段７は、前記目覚まし制御として、設定起床時刻Ｔｗよりも第１設定時間ΔＴ１だけ前の点灯時刻Ｔｘに至ったとき、消灯状態にある照明手段８，９を点灯状態に切り換え、その後、設定起床時刻Ｔｗよりも第２設定時間ΔＴ２だけ前の採光時刻Ｔｙに至ったとき、遮光状態にある遮光手段４を採光状態に切り換える構成にしてある。
【０１０７】
また、この制御手段７は、点灯状態への切り換えにおいて、照明手段８，９を最大出力状態よりも出力（照射光Ｌの明るさ）の低い減光点灯状態にし、その後、照明手段８，９の出力を段階的に増大させ、さらに、採光状態への切り換えにおいて、遮光手段４を最大採光状態よりも採光率の低い制限採光状態にし、その後、遮光手段４の採光率を連続的に高くする構成にしてある。
【０１０８】
なお、本第１実施形態では、第１設定時間ΔＴ１及び第２設定時間ΔＴ２の夫々を使用者による人為的な設定変更が可能な時間にしたが、これら第１設定時間ΔＴ１や第２設定時間ΔＴ２を固定的な時間にしてもよい。
【０１０９】
また、本第１実施形態では、検出室内照度ｓｉを設定下限照度ｓｓａとし、検出室内温度ｔｉから設定温度差Δｔａを減じた温度を設定下限温度ｔｔａとし、検出室内温度ｔｉに設定温度差Δｔｂを加えた温度を設定上限温度ｔｔｂとしたが、これら設定下限照度ｓｓａ，設定下限温度ｔｔａ，設定上限温度ｔｔｂは、この例に限らず他の設定形態を採るものにしてもよく、固定的なものであってもよい。
【０１１０】
そしてまた、採光時刻Ｔｙにおいて、検出屋外照度ｓｏが設定上限照度ｓｓｂよりも高い場合、遮光手段４の採光状態の切り換えを中止する、又は、その切り換え後における採光率の増大側の調整をある程度までに制限するなどしてもよい。
【０１１１】
さらに、本第１実施形態では、設定起床時刻Ｔｗよりも第２設定時間ΔＴ２だけ前の採光時刻Ｔｙに至ったとき遮光手段４を採光状態に切り換えるようにしたが、これに代え、設定起床時刻Ｔｗに至ったときに遮光手段４を採光状態に切り換えるようにしてもよい。
【０１１２】
〔第２実施形態〕
本第２実施形態においては、第１実施形態で示した（イ）〜（ニ）の制御に代え、目覚まし制御として次の（イ′）〜（ニ′）の制御を制御器７に実行させる（図７参照）。
【０１１３】
（イ′）ブラインド４を遮光状態にするとともに室内照明をＯＦＦにして室内者が就寝している状況において、屋外照度センサ１６ａによる検出屋外照度ｓｏが設定点灯照度ｓｓａ′まで上昇したとき（ｓｏ≧ｓｓａ′）、光調整器１１における色温度の最も低い光色フィルタ１４ａ及び開口率の最も小さい多孔部１５ａを光路ｒに位置させる状態にして光源器１０を起動し、これにより、それまで消灯状態にあった光照射部８を照射光Ｌの色温度が低い状態での小出力の減光点灯状態に切り換える。
【０１１４】
（ロ′）減光点灯状態へ切り換えた後、光色調器１１における二枚の回転盤１１ａ，１１ｂを、屋外照度センサ１６ａによる検出屋外照度ｓｏの上昇に同調させた状態で所定角度ずつ間歇的に回転させ、これにより、光照射部８からの照射光Ｌの明るさ（出力）及び色温度を段階的に高める。
【０１１５】
（ハ′）その後、光調整器１１における色温度の最も高い光色フィルタ１４ｈ及び開口率の最も大きな多孔部１５ｈを光路ｒに位置させて、光照射部８から最も明るく最も高い色温度の光Ｌを照射している状況において、屋外照度センサ１６ａによる検出屋外照度ｓｏが設定採光照度ｓｓｂ′まで上昇したとき（ｓｏ≧ｓｓｂ′）、それまで遮光状態にあったブラインド４の制限採光状態への切り換えとして、ブラインド４の羽根４ａの水平姿勢側への角度調整を開始する。
【０１１６】
但し、検出屋外照度ｓｏが設定採光照度ｓｓｂ′まで上昇した時点において、室内温度センサ１７ｂにより検出される室内温度ｔｉよりも設定温度差Δｔａだけ低い温度を設定下限温度ｔｔａとし、この設定下限温度ｔｔａよりも屋外温度センサ１６ｂによる検出屋外温度ｔｏが低い場合（ｔｏ＜ｔｔａ）、及び、検出屋外照度ｓｏが設定採光照度ｓｓｂ′まで上昇した時点において、室内温度センサ１７ｂにより検出される室内温度ｔｉよりも設定温度差Δｔｂだけ高い温度を設定上限温度ｔｔｂとし、この設定上限温度ｔｔｂよりも屋外温度センサ１６ｂによる検出屋外温度ｔｏが高い場合（ｔｏ＞ｔｔｂ）には、ブラインド４の採光状態への切り換え、及び、後述するブラインド４の漸次的な開度増大を中止する。
【０１１７】
（ニ′）ブラインド４の採光状態への切り換えとして、ブラインド４の羽根４ａの水平姿勢側への角度調整を開始した場合、それに続き、所定の速度でブラインド４の羽根４ａを水平姿勢側へ連続的に角度変化させて、ブラインド４の開度（採光率）を漸次的に増大させる。
【０１１８】
つまり、上記の如く、屋外照度ｓｏが設定点灯照度ｓｓａ′まで上昇したとき光照射部８を消灯状態から減光点灯状態にし、その後、屋外照度ｓｏの上昇に併行して光照射部８からの照射光Ｌの明るさ及び色温度を漸次的に高めるとともに、それに続き、ブラインド４を遮光状態から制限採光状態に切り換えて、その後、ブラインド４の開度（採光率）を漸次的に増大させることにより、前述の第１実施形態と同様、日の出時の自然の明るさ変化を室内で擬似的に現出して、室内就寝者を心地良く目覚めさせる。
【０１１９】
以上要するに、本第２実施形態において、制御器７は、屋外照度センサ１６ａにより検出される屋外照度ｓｏに基づき照明手段８，９及び遮光手段４を自動操作する制御手段を構成し、この制御手段７は、目覚まし制御として、検出屋外照度ｓｏが設定点灯照度ｓｓａ′まで上昇したとき、消灯状態にある照明手段８，９を点灯状態に切り換え、その後、検出屋外照度ｓｏが設定採光照度ｓｓｂ′まで上昇したとき、遮光状態にある遮光手段４を採光状態に切り換える構成にしてある。
【０１２０】
また、この制御手段７は、点灯状態への切り換えにおいて、照明手段８，９を最大出力状態よりも出力（照射光Ｌの明るさ）の低い減光点灯状態にし、その後、照明手段８，９の出力を段階的に増大させ、さらに、採光状態への切り換えにおいて、遮光手段４を最大採光状態よりも採光率の低い制限採光状態にし、その後、遮光手段４の採光率を連続的に高くする構成にしてある。
【０１２１】
なお、本第２実施形態では、点灯状態への切り換えの後、検出屋外照度ｓｏが設定採光照度ｓｓｂ′まで上昇したとき、遮光手段４を採光状態に切り換えるようにしたが、これに代え、点灯状態への切り換えの後、設定待機時間ΔＴｔが経過したときに、遮光手段４を採光状態に切り換えるようにしてもよい。
【０１２２】
また、遮光手段４の採光状態への切り換えを、検出屋外照度ｓｏが設定採光照度ｓｓｂ′に至ったときに実行させるか、あるいは、点灯状態への切り換えの後、設定経過時間ΔＴｔが経過したときに実行させるかを使用者が選択できるようにしてもよく、さらにまた、検出屋外照度ｓｏが設定採光照度ｓｓｂ′に至ったときか、あるいは、点灯状態への切り換えの後、設定経過時間ΔＴｔが経過したときかのいずれか早い方（又は遅い方）の時点で、遮光手段４の採光状態への切り換えを実行させるようにしてもよい。
【０１２３】
〔第３実施形態〕
本第３実施形態においては、第１実施形態で示した（イ）〜（ニ）の制御や、第２実施形態で示した（イ′）〜（ニ′）の制御に代え、目覚まし制御として次の（イ″）〜（ニ″）の制御を制御器７に実行させる（図８参照）。
【０１２４】
（イ″）ブラインド４を遮光状態するとともに室内照明をＯＦＦにして室内者が就寝している状況において、脈拍センサ２２により検出される室内就寝者の脈拍状態（例えば，脈拍数や脈拍の強さなど）が設定覚醒傾向状態なったとき、光調整器１１における色温度の最も低い光色フィルタ１４ａ及び開口率の最も小さい多孔部１５ａを光路ｒに位置させる状態にして光源器１０を起動し、これにより、それまで消灯状態にあった光照射部８を照射光Ｌの色温度が低い状態での小出力の減光点灯状態に切り換える。
【０１２５】
（ロ″）減光点灯状態へ切り換えた後、光調整器１１における二枚の回転盤１１ａ，１１ｂを、脈拍センサ２２による検出脈拍状態の覚醒傾向側への変化に応じて所定角度ずつ間歇的に回転させ、これにより、光照射部８からの照射光Ｌの明るさ（出力）及び色温度を段階的に高める。
【０１２６】
（ハ″）その後、光調整器１１における色温度の最も高い光色フィルタ１４ｈ及び開口率の最も大きな多孔部１５ｈを光路ｒに位置させて、光照射部８から最も明るく最も高い色温度の光Ｌを照射している状況において、脈拍センサ２２による検出脈拍状態が第２の設定覚醒傾向状態まで変化したとき、それまで遮光状態にあったブラインド４の制限採光状態への切り換えとして、ブラインド４の羽根４ａの水平姿勢側への角度調整を開始する。
【０１２７】
但し、検出脈拍状態が第２の設定覚醒傾向状態まで変化した時点において、室内照度センサ１７ａにより検出される室内照度ｓｉを設定下限照度ｓｓａとして、この設定下限照度ｓｓａよりも屋外照度センサ１６ａによる検出屋外照度ｓｏが低い場合（ｓｏ＜ｓｓａ）、及び、検出脈拍状態が第２の設定覚醒傾向状態まで変化した時点において、室内温度センサ１７ｂにより検出される室内温度ｔｉよりも設定温度差Δｔａだけ低い温度を設定下限温度ｔｔａとして、この設定下限温度ｔｔａよりも屋外温度センサ１６ｂによる検出屋外温度ｔｏが低い場合（ｔｏ＜ｔｔａ）、及び、検出脈拍状態が第２の設定覚醒傾向状態まで変化した時点において、室内温度センサ１７ｂにより検出される室内温度ｔｉよりも設定温度差Δｔｂだけ高い温度を設定上限温度ｔｔｂとして、この設定上限温度ｔｔｂよりも屋外温度センサ１６ｂによる検出屋外温度ｔｏが高い場合（ｔｏ＞ｔｔｂ）には、ブラインド４の採光状態への切り換え、及び、後述するブラインド４の漸次的な開度増大を中止する。
【０１２８】
（ニ″）ブラインド４の採光状態への切り換えとして、ブラインド４の羽根４ａの水平姿勢側への角度調整を開始した場合、それに続き、所定の速度でブラインド４の羽根４ａを水平姿勢側へ連続的に角度変化させて、ブラインド４の開度（採光率）を漸次的に増大させる。
【０１２９】
つまり、上記の如く、室内就寝者の脈拍状態が設定覚醒傾向状態になったとき光照射部８を消灯状態から減光点灯状態にし、その後、脈拍状態の覚醒傾向側への変化に応じて光照射部８からの照射光Ｌの明るさ及び色温度を漸次的に高めるとともに、それに続き、ブラインド４を遮光状態から制限採光状態に切り換えて、その後、ブラインド４の開度（採光率）を漸次的に増大させることにより、前述の第１，第２実施形態と同様、日の出時の自然の明るさ変化を室内で擬似的に現出して、室内就寝者を心地良く目覚めさせる。
【０１３０】
以上要するに、本第３実施形態において、脈拍センサ２２は室内就寝者の就寝状態を検出する対人検出手段を構成し、制御器７は、対人検出手段２２による検出就寝状態に基づき照明手段８，９及び遮光手段４を自動操作する制御手段を構成し、この制御手段７は、目覚まし制御として、検出就寝状態が設定覚醒傾向状態になったとき、消灯状態にある照明手段８，９を点灯状態に切り換え、その後、検出就寝状態が第２の設定覚醒傾向状態になったとき、遮光状態にある遮光手段４を採光状態に切り換える構成にしてある。
【０１３１】
また、この制御手段７は、点灯状態への切り換えにおいて、照明手段８，９を最大出力状態よりも出力（照射光Ｌの明るさ）の低い減光点灯状態にし、その後、照明手段８，９の出力を段階的に増大させ、さらに、採光状態への切り換えにおいて、遮光手段４を最大採光状態よりも採光率の低い制限採光状態にし、その後、遮光手段４の採光率を連続的に高くする構成にしてある。
【０１３２】
なお、本第３実施形態では、点灯状態への切り換えの後、検出就寝状態が第２の設定覚醒傾向状態になったとき、遮光手段４を採光状態に切り換えるようにしたが、これに代え、点灯状態への切り換えの後、設定待機時間ΔＴｔが経過したときに、遮光手段４を採光状態に切り換えるようにしてもよい。
【０１３３】
また、遮光手段４の採光状態への切り換えを、検出就寝状態が第２の設定覚醒傾向状態に至ったときに実行させるか、あるいは、点灯状態への切り換えの後、設定経過時間ΔＴｔが経過したときに実行させるかを使用者が選択できるようにしてもよく、さらにまた、検出就寝状態が第２の設定覚醒傾向状態に至ったときか、あるいは、点灯状態への切り換えの後、設定経過時間ΔＴｔが経過したときかのいずれか早い方（又は遅い方）の時点で、遮光手段４の採光状態への切り換えを実行させるようにしてもよい。
【０１３４】
そしてまた、本第３実施形態では、室内就寝者の脈拍状態を検出するようにしたが、これに代え、室内就寝者の脳波や身体の動きあるいは体温などを検出するようにして、その検出情報に基づき照明手段８，９及び遮光手段４を自動操作するようにしてもよい。
【０１３５】
〔別の実施形態〕
次に本発明の別実施形態を列記する。
【０１３６】
本発明の実施において、照明手段は、前述の各実施形態で示した如き光ファイバー使用のものに限られるものではなく、一般的な天井照明器具や壁照明器具あるいは卓上照明器具であってもよい。
【０１３７】
本発明の実施において、遮光手段は、ブラインドに限られるものではなく、カーテンやシャッター、あるいは、ガラスの透明度を変化させる方式のものなどであってもよい。
【０１３８】
本発明の実施において、ガラス張り開口部は、ガラス窓部に限られるものではなく、ガラス張りの扉を備える掃出開口部や、ガラスを嵌め殺しにした採光用開口部など、どのような形式のものであってもよい。
【０１３９】
前述の各実施形態では、複数の多孔部１５ａ〜１５ｈを設けた回転板１１ｂを回転させることで照明手段８，９による照射光Ｌの明るさを段階的に変化させるようにしたが、周波数制御や位相角制御などにより照明手段における発光部の発光出力そのものを変化させることで、照射光Ｌの明るさを連続的ないし段階的に変化させる方式を採るようにしてもよい。
【０１４０】
また、前述の各実施形態では、照明手段を消灯状態から減光点灯状態に切り換えたのち、照明手段の出力（照射光の明るさ）を段階的ないし連続的に増大させるようにしたが、場合によっては、消灯状態から点灯状態に切り換えた照明手段の出力を一定に保った状態において遮光手段の採光状態への切り換えに至るようにしてもよい。
【０１４１】
前述の各実施形態では、遮光手段の採光率を連続的に変化させる例を示したが、遮光手段の採光率を段階的に変化させるようにしてもよく、また、採光状態への切り換えにおいて、遮光手段を遮光状態から所定の採光状態（例えば、最大採光状態）へ一段階で切り換えるようにしてもよい。
【産業上の利用可能性】
【０１４２】
本発明による光制御システムは、マンション、ホテル、一般家屋など、種々の建屋の部屋に利用することができる。
【図面の簡単な説明】
【０１４３】
【図１】システム構成を示すガラス窓部の側面視断面図
【図２】ガラス窓部の室内側からの一部破断正面図
【図３】照明器本体の構造を示す平面図
【図４】照明器本体における光調整部の斜視図
【図５】制御形態を説明するためのガラス窓部の側面視断面図
【図６】第１実施形態における室内照度の変化を示すグラス
【図７】第２実施形態のシステム構成を示す照明器本体の平面図
【図８】第３実施形態のシステム構成を示す照明器本体の平面図
【符号の説明】
【０１４４】
８，９      照明手段
１          ガラス張り開口部
４          遮光手段
Ｔｗ        設定起床時刻
６          時刻設定手段
７          制御手段
ΔＴ１      第１設定時間
Ｔｘ        点灯時刻
ΔＴ２      第２設定時間
Ｔｙ        採光時刻
ｓｏ        屋外照度
１６ａ      屋外照度センサ
ｓｓａ′    設定点灯照度
ｓｓｂ′    設定採光照度
ΔＴｔ      設定待機時間
２２        対人検出手段
ｓｓａ      設定下限照度
ｔｏ        屋外温度
１６ｂ      屋外温度センサ
ｔｔａ      設定下限温度
ｔｔｂ      設定上限温度
８          光照射部
４ａ        遮光部
５          薄地カーテン
【図１】
2005310438.tif 000003
【図２】
2005310438.tif 000004
【図３】
2005310438.tif 000005
【図４】
2005310438.tif 000006
【図５】
2005310438.tif 000007
【図６】
2005310438.tif 000008
【図７】
2005310438.tif 000009
【図８】
2005310438.tif 000010